(57)【要約】【課題】  グランドを共通することは不可避であることを前提として、メインアンテナと副アンテナの間における指向性を可能な限り異ならせ、もって、ダイバーシチ機能を有効に発揮させる。【解決手段】  基板（３）上のグランドパターン（５）に接地されたメインアンテナ（７）と、同じく接地されたチップアンテナ（９）と、当該メインアンテナと当該チップアンテナとを切り替えるためのダイバーシチ処理部（２１）と、当該チップアンテナとともに当該基板上においてループ形状を形成するためのループパターン（１７）と、を含めて構成してある。グランドを共通することを前提として、ループパターンを形成することによってメインアンテナとチップアンテナの間における指向性を可能な限り異ならせることができた。これにより、ダイバーシチ機能を有効に発揮させることができる。【選択図】      図４
2007124010.tif 000002
【特許請求の範囲】
【請求項１】
基板上のグランドパターンに接地されたメインアンテナと、
当該グランドパターンに接地された線状エレメントを有するチップアンテナと、
当該メインアンテナと当該線状エレメントとを切り替えるためのダイバーシチ処理部と、
当該線状エレメントとともに当該基板上においてループ形状を形成するためのループパターンと、を含めて構成してあり、
当該ループパターンが、当該線状エレメントの開放端に接続した一端と、当該線状エレメントの給電点近傍に至らせた他端と、を含めて構成してある
ことを特徴とするダイバーシチアンテナ装置。
【請求項２】
前記線状エレメントと前記給電点との間には整合回路を設けてあり、
当該線状エレメントの他端が、当該整合回路の当該線状エレメント側に接続してある
ことを特徴とする請求項１記載のダイバーシチアンテナ装置。
【請求項３】
前記線状エレメントが逆Ｆ型アンテナである
ことを特徴とする請求項１記載のダイバーシチアンテナ装置。
【請求項４】
前記基板の平面方向における前記チップアンテナと前記グランドパターンとの間に、当該チップアンテナの長さ方向に沿って伸び、かつ、当該基板の厚み方向に貫通する貫通溝を形成してある
ことを特徴とする請求項１乃至３何れか記載のダイバーシチアンテナ装置。
【請求項５】
前記基板の貫通溝が、前記チップアンテナと前記ループパターンとの間に形成してある
ことを特徴とする請求項４記載のダイバーシチアンテナ装置。
【請求項６】
請求項１乃至５何れか記載のダイバーシチアンテナ装置を備えている
ことを特徴とする無線通信装置。
【請求項７】
前記無線通信装置が携帯電話機であって、
前記メインアンテナが、携帯電話機本体に長さ方向に沿って収納可能又は携帯電話機本体から長さ方向に沿って引き出し可能に構成してあり、
前記チップアンテナが、当該携帯電話機本体のマイク近傍に配してある
ことを特徴とする請求項６記載の無線通信装置。
【発明の詳細な説明】
【技術分野】
【０００１】
この発明は、ダイバーシチアンテナ装置及びダイバーシチアンテナ装置を備える無線通信装置に関するものである。
【背景技術】
【０００２】
これまで知られているダイバーシチアンテナ装置（以下、適宜「従来のダイバーシチアンテナ装置」という）には、特許文献１に記載されたものがある。従来のダイバーシチアンテナ装置は、携帯電話に組みこまれていて、３系統のアンテナを備えている。メインアンテナと、第１の副アンテナと、第２の副アンテナとが、この３系統のアンテナである。第２の副アンテナには、チップアンテナが組みこまれている。ダイバーシチ機能は、第１副アンテナと第２副アンテナのうち選択した一方のアンテナとメインアンテナとにより発揮されるようになっている。他方、特許文献２には、チップアンテナを搭載したアンテナ装置（以下、適宜「従来のアンテナ装置」という）が開示されている。従来のアンテナ装置は、線状アンテナを備え、線状アンテナの給電点とは反対側になる開放端は、その一端近傍に位置するグランドに接続されている。すなわち、線状アンテナの開放端は、導体パターンを介して最短距離にあるグランドに接続されている。
【特許文献１】特開２００１−２５１２３２号公報（段落００１１、００２３、図１参照）
【特許文献２】特開平１１−２７０２５号公報（段落００２２、図８参照）
【発明の開示】
【発明が解決しようとする課題】
【０００３】
しかしながら、ダイバーシチ方式とりわけ指向性ダイバーシチ方式においては、メインアンテナと副アンテナとの間で指向性の異なることが望ましいが、ダイバーシチアンテナ装置を組み込む無線通信装置に対するダウンサイジングの要請の下、ダイバーシチアンテナ装置の形状に自ずと制限が生まれる。このような形状の制限は、メインアンテナと副アンテナとの間でグランド（ＧＮＤ）を別々に設けることを許さず、両者を共通のグランドに接続することを余儀なくさせる。一方、アンテナの指向性はグランドに影響されるので、グランドを共通にしたメインアンテナと副アンテナは指向性が類似してしまうことが多い。従来のダイバーシチアンテナ装置も、これが携帯電話に組みこまれている以上、グランドを共通にせざるを得ず、その結果、指向性類似の恐れが強いといえる。本願発明が解決しようとする課題は、グランドを共通することは不可避であることを前提として、メインアンテナと副アンテナの間における指向性を可能な限り異ならせ、もって、ダイバーシチ機能を有効に発揮し得るダイバーシチアンテナ装置及びダイバーシチアンテナ装置を備える無線通信装置を提供することにある。なお、従来のアンテナ装置は、その線状アンテナの開放端がグランドに接続されているが、前述したように、その接続は最短距離に行われているものであって、後述するように本願発明の構成を備えるものではない。
【課題を解決するための手段】
【０００４】
上述した課題を解決するために鋭意研究を行った発明者は、副アンテナとなるチップアンテナの線状エレメント開放端と、当該線状エレメントの給電点近傍との間にループパターンを設けることにより、当該チップアンテナとメインアンテナとの間の指向性を異ならせられることを突きとめた。本発明は、この観点からなされたものである。その詳しい構成については、項を改めて説明する。なお、何れかの請求項記載の発明を説明するにあたって行う用語の定義等は、その性質上可能な範囲において他の請求項記載の発明にも適用があるものとする。
【０００５】
（請求項１記載の発明の特徴）
請求項１記載の発明に係るダイバーシチアンテナ装置（以下、適宜「請求項１のアンテナ装置」という）は、基板上のグランドパターンに接地されたメインアンテナと、当該グランドパターンに接地された線状エレメントを有するチップアンテナと、当該メインアンテナと当該線状エレメントとを切り替えるためのダイバーシチ処理部と、当該線状エレメントとともに当該基板上においてループ形状を形成するためのループパターンと、を含めて構成してある。ここで、当該ループパターンが、当該線状エレメントの開放端に接続した一端と、当該線状エレメントの給電点近傍に至らせた他端と、を含めて構成してある。メインアンテナは、基板上のグランドパターンに接地可能なものであれば、その形態に何ら制限はなく、また、たとえば、基板や基板以外の任意の箇所（たとえば、基板を収納した無線通信装置の筐体）に固定することができる。チップアンテナは、たとえば、セラミック製の基体に線状エレメントを持たせたものが一般的である。
【０００６】
請求項１のアンテナ装置によれば、ダイバーシチ処理部の機能によりメインアンテナとチップアンテナ（線状エレメント）との間でダイバーシチ受信を可能とする。すなわち、メインアンテナとチップアンテナのうち、受信電力の大きいほうのアンテナに切り替えて受信することができる。このとき、メインアンテナの指向性とチップアンテナの指向性が、両アンテナはグランドを共通にするも、ループパターンを設けたときのほうが設けないときに比べて異なりの度合が大きくなる。指向性の異なりが生じる因果関係は、現在解明中であるが、後述する実験例から明らかなようにループパターンの存否が指向性の異なりに大きく関係している。
【０００７】
（請求項２記載の発明の特徴）
請求項２記載の発明に係るダイバーシチアンテナ装置（以下、適宜「請求項２のアンテナ装置」という）には、請求項１のアンテナ装置の基本的構成を備えさせた上で、前記線状エレメントと前記給電点との間には整合回路を設けてあり、当該線状エレメントの他端が、当該整合回路の当該線状エレメント側に接続してある。
【０００８】
請求項２のアンテナ装置によれば、請求項１のアンテナ装置の作用効果に加え、整合回路の存在によりチップアンテナのインピーダンスの整合が図られ、これによって、アンテナの効率向上や無線回路（高周波回路）との不整合回避を図ることができる。
【０００９】
（請求項３記載の発明の特徴）
請求項３記載の発明に係るダイバーシチアンテナ装置（以下、適宜「請求項３のアンテナ装置」という）には、請求項１のアンテナ装置の基本的構成を備えさせた上で、前記線状エレメントが逆Ｆ型アンテナによって構成してある。逆Ｆ型アンテナ以外の形式のアンテナを排除する趣旨ではない。後述する本発明の実施形態の欄においても述べるように、たとえば、逆Ｌ型アンテナ等を用いることを妨げるものではない。ただ、逆Ｆ型アンテナは、上記逆Ｆ型アンテナは、給電点付近に短絡部（ショート−バー）を持たせることによってアンテナのインピーダンス整合を図りつつ低姿勢化を可能とするものであるから、逆Ｆ型アンテナを採用すればチップアンテナ（線状エレメント）の低姿勢化（小型化）のために極めて有利である。
【００１０】
請求項３のアンテナ装置によれば、請求項１のアンテナ装置の作用効果に加え、ショートバー他端を、給電点近傍のグランドに接地することによって、チップアンテナが逆Ｆ型アンテナとして機能する。逆Ｆ型アンテナを構成するためのショートバーに、ループパターンの機能を兼ね備えさせることによって、限られた基板スペースを効率よく活用することができる。
【００１１】
（請求項４記載の発明の特徴）
請求項４記載の発明に係るダイバーシチアンテナ装置（以下、適宜「請求項４のアンテナ装置」という）には、請求項１乃至３何れかのアンテナ装置の基本的構成を備えさせた上で、前記基板の平面方向における前記チップアンテナと前記グランドパターンとの間に、当該チップアンテナの長さ方向に沿って伸び、かつ、当該基板の厚み方向に貫通する貫通溝を形成してある。
【００１２】
請求項４のアンテナ装置によれば、請求項１乃至３何れかのアンテナ装置の作用効果に加えて、貫通溝の存在により、その不存在の場合に比べてチップアンテナとグランドパターンとの距離を実質的に長くしたのと同じ効果を得ることができる。すなわち、貫通溝が不存在であれば、そこには貫通溝の代わりに基板が存在していることになる。基板は、たとえば、セラミックや合成樹脂により構成されており、このような基板の比誘電率は設けられたときの貫通溝内に存在する空気の比誘電率よりも大きい。比誘電率の小さいほうがそこに蓄える電荷量が少ないから、電荷量が少なくなった分チップアンテナとグランドパターンとの間の結合容量を小さくすることができる。結合容量が小さくなれば、小さくなった分だけチップアンテナとグランドパターンとの間の距離を実質的に長くしたのと同じ効果を得ることができるのである。距離が実質的に長くなれば、長くなった分だけチップアンテナがグランドパターンから受ける影響が小さくなるので、チップアンテナの効率を高めることができる。
【００１３】
（請求項５記載の発明の特徴）
請求項５記載の発明に係るダイバーシチアンテナ装置（以下、適宜「請求項５のアンテナ装置」という）には、請求項４のアンテナ装置の基本的構成を備えさせた上で、前記基板の貫通溝が、前記チップアンテナと前記ループパターンとの間に形成してある。
【００１４】
請求項５のアンテナ装置によれば、請求項４のアンテナ装置の作用効果に加え、基板上のスペースを有効利用することができる。すなわち、ループパターンを形成することによって基板上にはループパターンによって囲まれる領域が存在することになるが、この囲まれた領域に貫通溝を形成するようにすれば囲まれた領域を貫通溝を設けるという積極的な用途に用いることができる。換言すれば、基板上においてループパターンに囲まれた領域の有効利用が実現する。
【００１５】
（請求項６記載の発明の特徴）
請求項６記載の発明に係る無線通信装置（以下、適宜「請求項６の無線通信装置」という）には、請求項１乃至５何れかのアンテナ装置を備えさせてある。携帯電話、ＰＤＡ（Ｐｅｒｓｏｎａｌ  Ｄｉｇｉｔａｌ  Ａｉｄ）、通信機能を備えたパーソナルコンピューター等が、上記無線通信装置に該当する。
【００１６】
請求項６の無線通信装置によれば、請求項１乃至５何れかのアンテナ装置を備えているので、メインアンテナの指向性とチップアンテナの指向性が、両アンテナはグランドを共通にするも、ループパターンを設けたときのほうが設けないときに比べて異なりの度合が大きくなる。この結果、無線通信装置のダイバーシチ受信を効率よく行うことができる。よって、フェージング等が生じても、それを補って可及的安定した通信を可能にする。
【００１７】
（請求項７記載の発明の特徴）
請求項７記載の発明に係る無線通信装置（以下、適宜「請求項７の無線通信装置」という）は、請求項６の無線通信装置が携帯電話機であって、請求項１乃至５何れかのアンテナ装置が備える前記メインアンテナが、携帯電話機本体に長さ方向に沿って収納可能又は携帯電話機本体から長さ方向に沿って引き出し可能に構成してあり、前記チップアンテナが、当該携帯電話機本体のマイク近傍に配してある。
【００１８】
請求項７の無線通信装置によれば、請求項１乃至５何れかのアンテナ装置を備えているので、メインアンテナの指向性とチップアンテナの指向性が、ループパターンを設けたときのほうが設けないときに比べて異なりの度合が大きくなる。この結果、携帯電話機のダイバーシチ受信を効率よく行うことができる。よって、フェージング等が生じても、それを補って可及的安定した通信を可能にする。
【発明の効果】
【００１９】
本発明に係るダイバーシチアンテナ装置によれば、グランドを共通することは不可避であることを前提として、メインアンテナとチップアンテナの間における指向性を可能な限り異ならせ、もって、ダイバーシチ機能を有効に発揮させることができる。さらに、そのようなダイバーシチアンテナ装置を備える無線通信装置によれば、ダイバーシチ受信を効率よく行うことができる。よって、フェージング等が生じても、それを補って可及的安定した通信を可能にする。
【発明を実施するための最良の形態】
【００２０】
次に、各図を参照しながら、本発明を実施するための最良の形態（以下、「本実施形態」という）について説明する。図１は、携帯電話機の正面図である。図２は、図１に示す携帯電話機の背面図である。図３は、ダイバーシチアンテナ装置の電気的構成を示すブロック図である。図４は、チップアンテナ及びチップアンテナ近辺の平面図である。図５は、図４に示す平面図の等価回路図である。図６は図１１に示すチップアンテナの指向性パターンを示す図表である。図７は、図４に示すチップアンテナの指向性パターンを示す図表である。図８乃至１０は、何れもチップアンテナの変形例を示す平面図である。図１１は、ループパターンを有しないチップアンテナの平面図である。
【００２１】
（無線通信装置の概略構造）
図１及び２に基づいて、無線通信装置の一例である携帯電話機の概略構造について説明する。携帯電話機１０１は、縦長矩形の携帯電話機本体１０３と、携帯電話機本体１０３に対して開閉自在な縦長矩形の表示部１０５と、により概ね構成してある。携帯電話機本体１０３には、メインアンテナ７を収納してある。メインアンテナ７は、携帯電話機本体１０３に収納する形式のものであってもよいが、本実施形態では、携帯電話機本体１０３の長さ方向に沿って引き出し可能な形式のものを採用した。符号１は、携帯電話機本体１０３に組みこんだダイバーシチアンテナ装置を、符号１０７はマイクを、それぞれ示している。なお、図示は省略するが、携帯電話機１０１には、上述したダイバーシチアンテナ装置１以外に、携帯電話機として必要な機能を発揮させるための各種部材や装置が組み込んである。
【００２２】
（ダイバーシチアンテナ装置の構造）
図１乃至５を参照しながら、ダイバーシチアンテナ装置１（以下、「アンテナ装置１」という）の構造について説明する。アンテナ装置１は、基板３と、基板３の一方の面上に形成したグランドパターン５と、基板３の一方の面のグランドパターン５を形成していない部分（露出部分３ａ）に搭載したチップアンテナ９と、同じく露出部分３ａ上に形成したループパターン１７と、ダイバーシチ処理部２１（図３参照）と、上記したメインアンテナ７と、により概ね構成してある。メインアンテナ７は、グランドパターン５に接続してある（図３参照）。基板３は、たとえば、セラミックや合成樹脂により構成したものであって、携帯電話機本体１０３の内部に収納可能な矩形に形成してある。本実施形態における基板３は、一枚だけであるが、複数枚により構成してもよい。基板３の一方の面には、上述したグランドパターン５を形成してあり、他方の面には、上述したダイバーシチ処理部２１（図３参照）を含むハイブリッド回路（図示を省略）を搭載してある。チップアンテナ９は、携帯電話機本体１０３のマイク１０７の近傍に位置させてある。チップアンテナ９とメインアンテナ７との距離を可及的に長くすることによって、相互干渉を抑え効果的なダイバーシチ通信を実現するためである。
【００２３】
チップアンテナ９は、たとえば、セラミックを主素材とする箱状の基体９ａ内部に線状エレメント９ｂを形成することにより構成してある。本実施形態における線状エレメント９ｂは、図４に示すようにヘリカル型のモノポールに構成してあるが、たとえば、逆Ｌ型、ミアンダ型のほか、後述する逆Ｆ型に構成することも可能である。線状エレメント９ｂの給電端及び自由端は、基体９ａの外部に引き出してあり、それぞれは、基体９ａの外部に設けた給電用端子９ｃ及び自由端側の接続端子９ｄに接続してある。給電用端子９ｃは、給電パターン１３ａ及び整合回路１３（図４参照）を介して給電点１５に接続してあり、接続端子９ｄにはループパターン１７の一端を接続してある。ループパターン１７の他端は、整合回路１３の線状エレメント９ｂ（チップアンテナ９）側に接続してある。換言すると、線状エレメント９ｂと給電点１５との間に整合回路１３が位置することになる。また、ループパターン１７の他端は、給電点１５の近傍に至ることになる。具体的には、給電点１５に接続した整合回路１３のチップアンテナ９側にループパターン１７の他端を接続してある。整合回路１３は、グランドパターン５に接続してある。すなわち、線状エレメント９ｂは整合回路１３を介してグランドパターン５に接続してある。上記構成により、線状エレメント９ｂとメインアンテナ７とはグランドを共通にする。上記のとおり接続することによって、基板３上において、ループパターン１７が線状エレメント９ｂとともにループ形状を形成する。整合回路１３は、線状エレメント９ｂの給電点インピーダンスを調整するための回路であって、コイル、コンデンサー及び抵抗等を適宜組み合わせることによって構成することができる。また、図示した整合回路と異なり、ＧＮＤに対する素子接続が不要な回路構成でインピーダンス整合が取れるような状態においても、エレメント−ＧＮＤ間は電磁界的な結合を持ち、共振状態となる。
【００２４】
（ダイバーシチ処理部の構造）
図３を参照しながら、ダイバーシチ処理部２１について説明する。ダイバーシチ処理部２１は、メインアンテナ７と線状エレメント９ｂとを切り替えることを、その主機能とする。ダイバーシチ処理部２１は、共用器２３と、送信部２５と、メイン側受信部２７と、チップ側受信部２９と、切替部３１と、により概略構成してある。共用器２３は、メインアンテナ７に接続してあり、このメインアンテナ７を携帯電話機１０１の送受信に応じて送信部２５又はメイン側受信部２７に切替接続する機能を有している。たとえば、アンテナスイッチやデュプレクサが、この共用器２３に該当する。チップ側受信部２９は、チップアンテナ９（整合回路１３）に接続してある。切替部３１は、メイン側受信部２７又はチップ側受信部２９のうち、何れか受信電力の強い（電界強度が高い）側に切り替える機能を有している。アンテナを切り替えるのは、フェージング等の影響を最小限に抑え、安定した通信を可能とする。すなわち、メインアンテナ７の特性、特に指向性は、チップアンテナ９の指向性と、一般的には異なっている。それは、たとえば、メインアンテナ７はホイップアンテナであってチップアンテナ９のようにチップ状ではないというアンテナ形態の違い、メインアンテナ７は携帯電話機本体１０３の上にあるがチップアンテナ９は下にあるという取付位置の違い、メインアンテナ７は携帯電話機本体１０３から引き出されるので比較的人体の緩衝が少ないがチップアンテナ９は携帯電話機本体１０３を握る手に近いという使用環境の違い、によって、生じる得る異なりである。メインアンテナ７とチップアンテナ９とは、上述したように指向性が異なるので、指向性ダイバーシチアンテナとして機能する。すなわち、携帯電話機１０１の送信部２５から発生する電波は、共用器２３を介してメインアンテナ７から送信され、外部から到来する電波は、メインアンテナ７から共用器２３介してメイン側受信部２７によって又はチップアンテナ９から整合回路１３を介してチップ側受信部２９によって受信された電波である。
【００２５】
（比較結果）
図４、６、７及び１１に基づいて、指向性の比較結果を説明する。図１１に示すアンテナ装置１´は、ループパターンを有しない点でそれを有するアンテナ装置１と異なっているが、他の部位について異なる点がない。したがって、アンテナ装置１´が有する部材であってアンテナ装置１と共通するものについては、図１１に図４で用いた符号と同じ符号を付するにとめ、各部材の説明は可能な範囲において省略する（後述する、アンテナ装置４１、アンテナ装置５１についても同じ）。なお、図６及び７において、メインアンテナの指向性は実線により、サブアンテナの指向性は破線により示してある。
【００２６】
すなわち、図６に示すアンテナ装置１´（ループパターンなし）の指向性と、図７に示すアンテナ装置１（ループパターンあり）の指向性を比較すると、図６に表れていなかった方向の指向性が図７に現れている。すなわち、図７において矢印ａ〜ｄで示す方向の指向性が、ループパターンを設けることによって変化した（生じた）方向の指向性である。換言すると、アンテナ装置１´のサブアンテナ指向性は、同メインアンテナ指向性とそのほとんどが一致している（実線のパターンの中に破線のパターンのほとんどが含まれている）が、アンテナ装置１のサブアンテナ指向性は少なくとも上記矢印ａ〜ｄで示す方向で同メインアンテナ指向性からはみ出している。
【００２７】
以上の比較結果から、ループパターンを有しないアンテナ装置１´によればサブアンテナからは輻射されづらかった方向の電波が、ループパターンを有するアンテナ装置１によればサブアンテナから同方向に強く輻射されることが分かった。換言すると、ループパターンを設けることによってサブアンテナ（チップアンテナ）の指向性を、多方向に展開可能であることが確認できた。したがって、ループパターン１７を設けたアンテナ装置１のほうが、それを設けないアンテナ装置１´よりもフェージング等に対して有効に対応可能、すなわち、ダイバーシチ効果を顕著に発揮可能であることが明らかになった。これは、アンテナ装置１´のメインアンテナ（図示を省略）とチップアンテナ９´が共通のグランド、すなわち、グランドパターン５´に接続してあるため、偏波方向が類似することになり、この類似した共振方向が類似した指向性を生じさせる一方、アンテナ装置１のようにループパターン１７を有することによってそのような偏波方向に変化を生じさせたものと推測される。ループパターン１７を設けることによって、偏波方向に違いを生じさせ得た理由は、現在解明中である。
【００２８】
（本実施形態の第１変形例）
図８を参照しながら、本実施形態の第１変形例について説明する。第１変形例に係るアンテナ装置４１が、先に説明したアンテナ装置１と異なるのは、ＧＮＤパターンに対してショートバーを有することである。このショートバーによって、このアンテナ装置は逆Ｆ型アンテナの構成となる。このショートバーの長さを変える、或いはエレメント側の接続点を変えることなど何より、アンテナのインピーダンスを設計的に変更することが可能となる。すなわち、ショートバーを設けることで、ループパターン４７に加え、逆Ｆ型アンテナの機能を兼ね備えさせることによって、限られた基板３上のスペースを効率よく活用することができる。
【００２９】
（本実施形態の第２変形例）
図９及び１０を参照しながら、本実施形態の第２変形例について説明する。第２変形例に係るアンテナ装置５１が、先に説明したアンテナ装置１と異なる点は、アンテナ装置には設けていない貫通溝５３をアンテナ装置５１に設けてある点である。貫通溝５３は、基板３の露出部分３ａの平面方向におけるチップアンテナ９とグランドパターン５との間に、チップアンテナ９の長さ方向（図９、１０の左右方向）に沿って伸び、かつ、基板３の厚み方向に貫通して設けた溝である。貫通溝５３を設ける位置は、図９に示すように、グランドパターン５とループパターン１７との間でもよいし、図１０に示すように、ループパターン１７とチップアンテナ９との間でもよい、さらに、上述する間の両者に設けてもよい。すなわち、貫通溝５３は、可能であれば、複数設けることもできる。貫通溝５３の存在により、その不存在の場合に比べてチップアンテナ９とグランドパターン５との距離を実質的に長くしたのと同じ効果を得ることができる。すなわち、貫通溝５３が不存在であれば、そこには貫通溝５３の代わりに基板３が存在していることになる。基板３は、前述したように、たとえば、セラミックや合成樹脂により構成されており、このような基板３の比誘電率は設けられたときの貫通溝５３内に存在する空気の比誘電率よりも大きい。比誘電率の小さいほうがそこに蓄える電荷量が少ないから、電荷量が少なくなった分チップアンテナ９とグランドパターン５との間の結合容量を小さくすることができる。結合容量が小さくなれば、小さくなった分だけチップアンテナ９とグランドパターン５との間の距離を実質的に長くしたのと同じ効果を得ることができるのである。距離が実質的に長くなれば、長くなった分だけチップアンテナ９がグランドパターン５から受ける影響が小さくなるので、チップアンテナ９の効率を高めることになる。したがって、貫通溝５３の数は多ければ多いほどよく、同幅寸法は長ければ長いほうがよいことになる。他方、このような数や幅寸法は、基板３に搭載する部品の形態や個数、さらに、基板３に求められる強度、貫通溝５３を形成するために許されるスペースの有無等を考慮して具体的に定めることが好ましい。なお、貫通溝は、図８に示すアンテナ装置４１にも好適に使用可能であることは言うまでもない。
【００３０】
なお、上述した２つの変形例に示す変形以外の変形を施すことを妨げない。たとえば、前述した露出部分３ａ自体を基板３から切り落とし、切り落としてできた空間部分に、何らかの支持部材（図示を省略）を介してチップアンテナ９を支持するように構成する。チップアンテナ９と基板３（グランドパターン５）との間に空間が形成されるので、上述した貫通溝５３と同じ効果を期待することができる。チップアンテナ９の指向性を変化させ、たとえば、特定の方向に対する指向性を高めるために無給電素子（図示を省略）を設けることも可能である。本実施形態では、無線通信装置の一例として携帯電話機を挙げたが、ＰＤＡやパーソナルコンピューター等も、アンテナ装置１、４１、５１の適用対象となる。
【図面の簡単な説明】
【００３１】
【図１】携帯電話機の正面図である。
【図２】図１に示す携帯電話機の背面図である。
【図３】ダイバーシチアンテナ装置の電気的構成を示すブロック図である。
【図４】チップアンテナ及びチップアンテナ近辺の平面図である。
【図５】図４に示す平面図の等価回路図である。
【図６】図１１に示すチップアンテナの指向性パターンを示す図表である。
【図７】図４に示すチップアンテナの指向性パターンを示す図表である。
【図８】チップアンテナの変形例を示す平面図である。
【図９】チップアンテナの変形例を示す平面図である。
【図１０】チップアンテナの変形例を示す平面図である。
【図１１】ループパターンを有しないチップアンテナの平面図である。
【符号の説明】
【００３２】
１，１´，４１，５１    ダイバーシチアンテナ装置
３                      基板
３ａ                    露出部分
５                      グランドパターン
７                      メインアンテナ
９                      チップアンテナ
９ａ                    基体
９ｂ                    線状エレメント
９ｃ                    給電用端子
９ｄ                    接続端子
１３                      整合回路
１３ａ                    給電パターン
１５                      給電点
１７，４７                ループパターン
２１                      ダイバーシチ処理部
２３                      共用器
２５                      送信部
２７                      メイン側受信部
２９                      チップ側受信部
３１                      切替部
５３                      貫通溝
１０１                      携帯電話機
１０３                      携帯電話機本体
１０５                      表示部
１０７                      マイク
【図１】
2007124010.tif 000003
【図２】
2007124010.tif 000004
【図３】
2007124010.tif 000005
【図４】
2007124010.tif 000006
【図５】
2007124010.tif 000007
【図６】
2007124010.tif 000008
【図７】
2007124010.tif 000009
【図８】
2007124010.tif 000010
【図９】
2007124010.tif 000011
【図１０】
2007124010.tif 000012
【図１１】
2007124010.tif 000013